(57)【要約】【課題】装置を大型化することなく透明部材に付着した異物を除去可能とする。【解決手段】シート搬送路を挟んで一方側に配置された第１の透明部材２０２と、前記第１の透明部材を介して前記シートの一方側面の画像を読み取る第１の画像読取部２０１と、前記シート搬送路を挟んで前記一方側と反対の他方側に配置された第２の透明部材２２２と、前記第２の透明部材を介して前記シートの他方側面の画像を読み取る第２の画像読取部２２１と、前記第１の透明部材のシート搬送方向下流に配置され、搬送されるシートをガイドする第１のガイド部材５００と、前記第２の透明部材のシート搬送方向下流に配置され、搬送されるシートをガイドする第２のガイド部材４０１と、を有し、前記第２のガイド部材は、前記第１の透明部材２０２のシートガイド面よりも前記一方側に突出した突出部４０１ａを有することを特徴とする。【選択図】図３
2020195112.tif 000002
【特許請求の範囲】
【請求項１】
搬送されるシートの両面に記載された画像を読み取る画像読取装置において、
シート搬送路を挟んで一方側に配置された第１の透明部材と、
前記第１の透明部材を介して前記シートの一方側面の画像を読み取る第１の画像読取部と、
前記シート搬送路を挟んで前記一方側と反対の他方側に配置された第２の透明部材と、
前記第２の透明部材を介して前記シートの他方側面の画像を読み取る第２の画像読取部と、
前記第１の透明部材のシート搬送方向下流に配置され、搬送されるシートをガイドする第１のガイド部材と、
前記第２の透明部材のシート搬送方向下流に配置され、搬送されるシートをガイドする第２のガイド部材と、
を有し、
前記第２のガイド部材は、前記第１の透明部材のシートガイド面よりも前記一方側に突出した突出部を有する
ことを特徴とするシート読取装置。
【請求項２】
前記第１のガイド部材は、前記突出部を通過したシートを前記第２の透明部材のシートガイド面よりも前記他方側にガイドすることを特徴とする請求項１に記載のシート読取装置。
【請求項３】
搬送されるシートの両面に記載された画像を読み取る画像読取装置において、
シート搬送路を挟んで一方側に配置された第１の透明部材と、
前記第１の透明部材を介して前記シートの一方側面の画像を読み取る第１の画像読取部と、
前記シート搬送路を挟んで前記一方側と反対の他方側に配置された第２の透明部材と、
前記第２の透明部材を介して前記シートの他方側面の画像を読み取る第２の画像読取部と、
前記第１の透明部材のシート搬送方向下流に配置され、搬送されるシートをガイドする第１のガイド部材と、
前記第２の透明部材のシート搬送方向下流に配置され、搬送されるシートをガイドする第２のガイド部材であって、前記第１の透明部材の側へ突出した突出部を有する第２のガイド部材と、
を有し、
前記第１のガイド部材のシート搬送方向下流側端部は、前記突出部よりもシート搬送方向上流に位置し、
前記突出部は、前記第１のガイド部材のシートガイド面よりも前記一方側に突出している
ことを特徴とするシート読取装置。
【請求項４】
前記第１の透明部材と前記第２の透明部材の少なくとも一部は、前記シート搬送路を挟んで対向していることを特徴とする請求項１乃至請求項３のいずれか１項に記載のシート読取装置。
【請求項５】
前記突出部は、回転体で構成されていることを特徴とする請求項１乃至請求項４のいずれか１項に記載のシート読取装置。
【請求項６】
前記第２の画像読取部による読取位置は、前記第１の画像読取部の読取位置よりもシート搬送方向下流に位置することを特徴とする請求項１乃至請求項５のいずれか１項に記載のシート読取装置。
【請求項７】
前記第１の透明部材及び前記第２の透明部材は、装置筐体と電気的に導通していることを特徴とする請求項１乃至請求項６のいずれか１項に記載のシート読取装置。
【請求項８】
請求項１乃至請求項７のいずれか１項に記載のシート読取装置と、
シートに画像形成する画像形成部と、
を有することを特徴とする画像形成装置。
【発明の詳細な説明】
【技術分野】
【０００１】
本発明は、例えば、スキャナ、複写機、プリンタ、あるいはファクシミリ装置などに用いられる画像読取装置であって、搬送されるシートの両面の画像を読み取り可能な画像読取装置及びこれを具備する画像形成装置に関する。
【背景技術】
【０００２】
デジタル複写機等の画像形成装置に用いられる画像読取装置には、両面対応自動原稿搬送装置などの原稿搬送装置（以下、ＡＤＦ「Auto Document Feeder」）を備えたものがある。この種のＡＤＦを備えた画像読取装置は、ＡＤＦ内のシート状の原稿Ｄを読み取る場合は、図１０に示すように、図示しないモータを駆動させてプラテンローラ７００と読取ガラス７０１との間で原稿を搬送させつつ読取部７０２により原稿を読み取る。
【０００３】
上記読み取り構成においては、原稿Ｄは原稿を支持する透明のガラス板で構成した読取ガラス７０１の表面を摺擦して搬送される。このとき、図１０に示すように、原稿搬送で発生したトナー粉や紙粉、ゴムカスなどのゴミｇが読取ガラス７０１上に付着することがあるが、原稿下面を支持する読取ガラス７０１の場合は摺擦する原稿によってゴミｇが掻き取られ、そのまま除去されることが多い。
【０００４】
しかし、画像読取装置には原稿の片面を読み取るばかりでなく両面を読み取るものがあり、その中には原稿搬送路を挟んで上下に画像読取部を配置し、搬送される原稿の両面を一度の原稿搬送で読み取るようにしたものがある。この場合、下側の読取ガラス（第１の読取ガラス）に付着したゴミは前述のように搬送される原稿によって摺擦されて除去されるが、上側の読取ガラス（第２の読取ガラス）には原稿が摺擦しないために第２の読取ガラスに付着したゴミが除去されずに残ってしまう。このゴミが読取位置に付着したままだと、読み取り画像にスジとして残ってしまう。
【０００５】
そこで、原稿搬送方向で第１の読取ガラスと第２の読取ガラスの間にガイド部材を設け、このガイド部材によって第１の読取ガラス上を搬送された原稿が第２の読取ガラスへ向けて搬送されるように構成した画像読取装置が提案されている（特許文献１）。
【０００６】
上記のように、第１の読取ガラスを通過した原稿が第２の読取ガラスへ向けて搬送されることにより、第２の読取ガラスにゴミが付着していたとしても、そのゴミは搬送される原稿の先端によって掻き取られる。このため、読取ガラスを特別に清掃しなくても、ゴミの付着による読み取り画像のスジ発生を抑制することができる。
【先行技術文献】
【特許文献】
【０００７】
【特許文献１】特開２０１７−００５６９号
【発明の概要】
【発明が解決しようとする課題】
【０００８】
しかし、上記のように第２の読取ガラスへ向けて原稿をガイドする構成にあっては、第１の読取ガラスと第２の読取ガラスの間にガイド部材を設けるために、原稿搬送方向に第１の読取ガラス、ガイド部材、第２の読取ガラスの順に配置する必要があり、原稿搬送路を挟んで第１の読取ガラスと第２の読取ガラスとを対向した位置に配置することができない。
【０００９】
そのため、読取ガラスを配置する領域が広く必要となり、装置が大型化してしまうという課題がある。
【００１０】
本発明は上記課題を解決するものであり、その目的は、シート状の原稿の両面画像を読み取ることが可能な画像読取装置において、装置を大型化することなく透明部材に付着した異物を除去可能な画像読取装置及び、これを具備する画像形成装置を提供するものである。
【課題を解決するための手段】
【００１１】
上記目的を達成するための本発明に係る代表的な構成は、搬送されるシートの両面に記載された画像を読み取る画像読取装置において、シート搬送路を挟んで一方側に配置された第１の透明部材と、前記第１の透明部材を介して前記シートの一方側面の画像を読み取る第１の画像読取部と、前記シート搬送路を挟んで前記一方側と反対の他方側に配置された第２の透明部材と、前記第２の透明部材を介して前記シートの他方側面の画像を読み取る第２の画像読取部と、前記第１の透明部材のシート搬送方向下流に配置され、搬送されるシートをガイドする第１のガイド部材と、前記第２の透明部材のシート搬送方向下流に配置され、搬送されるシートをガイドする第２のガイド部材と、を有し、前記第２のガイド部材は、前記第１の透明部材のシートガイド面よりも前記一方側に突出した突出部を有することを特徴とする。
【発明の効果】
【００１２】
本発明にあっては、シートの両面画像を読み取ることが可能な画像形成装置において、透明部材に付着したゴミ等を装置を簡易な構成で除去することができ、第１の透明部材と第２の透明部材をシート搬送路を挟んで対向配置できるため、装置の大型化を抑制できる。
【図面の簡単な説明】
【００１３】
【図１】画像形成装置の構成図である。
【図２】画像読取装置の構成図である。
【図３】画像読取装置の読取部の構成図である。
【図４】原稿先端によるゴミの掻き取り説明図である。
【図５】透明部材における原稿接触位置の説明図である。
【図６】原稿後端によるゴミの掻き取り説明図である。
【図７】第２実施形態に係る画像読取部の説明図である。
【図８】第２実施形態の変形例に係る画像読取部の説明図である。
【図９】突出部を回転体で構成した説明図である。
【図１０】ゴミが付着した原稿読取ガラスの説明図である。
【発明を実施するための形態】
【００１４】
以下に図面を参照して、本発明の好適な実施形態を例示的に詳しく説明する。これらの画像読取装置は、原稿搬送装置であるＡＤＦを備えたフラットベッドスキャナのように装置単体として構成する場合の他、複写機やファクシミリなどの画像形成装置における画像読取部として用いられて好適なものである。
【００１５】
なお、以下の実施形態に記載されている構成部品の寸法、材質、形状、その相対配置などは、特に特定的な記載がない限りは、この発明の範囲をそれらのみに限定する趣旨のものではない。
【００１６】
〔第１実施形態〕
＜画像形成装置の全体構成＞
図１は、本発明の実施形態の画像形成装置の断面図である。本実施形態では、画像形成装置として両面コピー可能な複写機を例示して説明する。本実施形態の画像形成装置１００は、画像形成部が配置された装置本体１０１と、装置本体１０１の上部に備えられた画像読取装置２００と、画像読取装置２００の上に設けられたＡＤＦ３００とで構成されている。
【００１７】
ＡＤＦ３００は、ユーザによって原稿給送トレイ３０１に載置されたシート状の原稿Ｄを画像読取装置２００に自動的に搬送するようになっている。画像読取装置２００は、読取位置で搬送されている原稿に照射した光の反射光を受光して、原稿を光学的に読み取って電気信号に変換し、電気信号に基づいて画像データを作成するようになっている。
【００１８】
装置本体１０１には、原稿の画像の電気信号や画像データに基づいて露光部１２３を作動させて、回転する感光体ドラム１２１の表面に静電潜像を形成する画像形成部１３３が設けられている。静電潜像は、現像器１２４で現像されてトナー画像となる。
【００１９】
一方、装置本体１０１の下部には、各種サイズの記録材Ｓを装填した記録材載置部１３７ａ，１３７ｂ，１３７ｃ，１３７ｄが配置されている。記録材載置部１３７ａ，１３７ｂ，１３７ｃ，１３７ｄの記録材Ｓは、それぞれ給送ローラ１３８ａ，１３８ｂ，１３８ｃ，１３８ｄによって１枚ずつ取り出され、搬送ローラ１３１へ受け渡される。記録材は、手差しトレイ１３７ｅからも給送ローラ１３８ｅへ受け渡されるようになっている。
【００２０】
その後、記録材Ｓは、レジストレーションローラ対１３６によって斜行を矯正され、かつ感光体ドラム１２１上のトナー画像と位置を合わされて、感光体ドラム１２１と転写ローラ１２５とのニップ部に供給される。記録材Ｓは、転写ローラ１２５へのバイアス印加によって感光体ドラム上のトナー画像を転写される。クリーナ１２７は、トナー画像を転写した感光体ドラム１２１の表面をクリーニングする。そして、帯電ローラ１２２は、次の露光に備えて感光体ドラム１２１の表面を帯電する。
【００２１】
一方、トナー画像を転写された記録材Ｓは、搬送部１２８によって定着器１２９へ搬送され、定着器１２９で加熱と加圧を受けて表面にトナー画像を定着される。そして、トナー画像が定着された記録材Ｓは、排出トレイ１３０に排出される。
【００２２】
以上説明した、画像形成装置１００は、ＣＰＵを有する制御部１３２によって制御されるようになっている。また、感光体ドラム１２１、帯電ローラ１２２、現像器１２４等は、画像形成部１３３を形成している。
【００２３】
＜画像読取装置＞
次に画像読取装置２００の構成について図２及び図３を参照して具体的に説明する。なお、図２は本実施形態に係る画像読取装置２００の断面概略図である。また、図３は図２における読取部の拡大図を示している。
【００２４】
（ＡＤＦ）
本実施形態の画像読取装置２００は、装置本体上部にＡＤＦ３００を備えており、ＡＤＦ３００から自動搬送される原稿の両面を、原稿搬送路（シート搬送路）を挟んで一方側に配置された第１の画像読取部と、前記一方側の反対側である他方側に配置された第２の画像読取部とによって原稿の一方側面と他方側面の両面を読み取り可能となっている。
【００２５】
ＡＤＦ３００は、原稿Ｄが積層載置される原稿給送トレイ３０１が略水平に取り付けられている。また、その原稿給送トレイ３０１の下方には、後述する読取位置で画像を読み取られて送り出される原稿を受ける原稿排出トレイ３０２が配置されている。これらの原稿給送トレイ３０１及び原稿排出トレイ３は、上下方向において適宜の間隔をなして上下に対面するように配置されており、平面視においてほぼ重なり合う重合配置関係になされている。そして、ＡＤＦ３００は、原稿給送ローラ３０３、分離ローラ３０４、リタードローラ３０５、レジストレーションローラ対３０６、搬送ローラ対３０７，３０８及び排出ローラ対３０９が配置されている。
【００２６】
（原稿読み取り動作）
原稿読み取りに際しては、原稿読み取りモードとして搬送される原稿を読み取る「流し読み取りモード」と、原稿を原稿台ガラス２４０上に載置して第１の読取部２０１を移動させながら読み取る「固定読み取りモード」を備えている。
【００２７】
ユーザが流し読み取りモードを選択して読み取り開始を指示すると、原稿給送ローラ３０３よりも原稿搬送方向上流に配置された載置原稿検知センサＳ１により原稿給送トレイ３０１上に積層載置された原稿Ｄの有無が判断される。原稿Ｄが検知されると、画像読取装置２００の待機位置Ｐ１にある第１の画像読取部２０１が、キャリッジＣに載置された状態で図示しないシャフト部に案内されて流し読み位置Ｐ２に移動する。その後、原稿給送ローラ３０３が図２の破線の位置から実線の位置に下降して、原稿Ｄを自動原稿搬送部における入口側搬送パス空間に送り込む。そして、入口側搬送パス空間に設けられた分離ローラ３０４まで原稿給送ローラ３０３の回転駆動力によって搬送された原稿は、分離ローラ３０４の下方側にばね付勢されたリタードローラ３０５との間の摩擦力によって１枚ずつに分離される。
【００２８】
分離された原稿Ｄは、回転を停止しているレジストレーションローラ対３０６にその先端を突き当てられる。レジストレーションローラ対３０６へ搬送される原稿Ｄの先端は、レジストレーションローラ対３０６の原稿搬送方向上流に設置された第１の原稿検知センサＳ２の不図示のフラグにより検知される。
【００２９】
そして、レジストレーションローラ対３０６は、レジストレーションローラ対３０６を回転させる駆動モータＭに備えられた電磁クラッチＣＬ等により駆動伝達が遮断され、一定時間回転を停止する。レジストレーションローラ対３０６が停止している間に原稿は、分離ローラ３０４により搬送され続けるため、原稿の先端部分にループが形成され、原稿の斜行が取り除かれる。
【００３０】
レジストレーションローラ対３０６と上流側搬送ローラ対３０７との間の搬送路内に第３の原稿検知センサＳ３が設けられている。上流側搬送ローラ対３０７と下流側搬送ローラ対３０８との間の搬送路内に第１の読取位置Ｒ１と第２の読取位置Ｒ２が位置している。第１の読取位置Ｒ１は、装置本体１０１に配置された第１の画像読取部２０１が原稿の表面を読み取るための位置であり、第２の読取位置Ｒ２は、ＡＤＦ３００に配置された第２の画像読取部２２１が原稿の裏面を読み取るための位置である。それぞれの読取位置には、例えば板状のガラスのような透明で原稿Ｄをガイドする第１の透明部材２０２と、同じく板状のガラスのような透明な第２の透明部材２２２が搬送路Ｐを互いが挟み込むようにして一方側と他方側に配置されている。
【００３１】
斜行取りが行われた原稿は、レジストレーションローラ対３０６によって上流側搬送ローラ対３０７へ搬送される。原稿Ｄは、第３の原稿検知センサＳ３によって原稿の先端と読取位置Ｒ１との読取タイミングを取られて、上流側搬送ローラ対３０７によって読取位置Ｒ１に送り込まれる。
【００３２】
原稿Ｄは、第１の読取位置Ｒ１で表面の画像を読み取られた後、第２の読取位置Ｒ２で裏面の画像が読み取られ、搬送ローラ対３０８で搬送されたのち、排出ローラ対３０９によって原稿排出トレイ３の載置面上に順次排出されて積層される。
【００３３】
なお、原稿を原稿台ガラス２４０上に載置して読み取る固定読み取りモードを選択する場合には、図示しないヒンジ機構によって装置本体１０１に対して回動可能なＡＤＦ３００を回動して開放させ、原稿を原稿台ガラス２４０の上に配置する。そして、ＡＤＦ３００を閉じ、ユーザが複写操作を指示すると、前記待機位置Ｐ１で待機している第１の画像読取部２０１がキャリッジＣで案内されて画像を読取ながら終端位置Ｐ３に移動する。この結果、原稿台ガラス２４０上の原稿の画像が読み取られる。
【００３４】
（読取部）
本実施形態の読取部は、第１の画像読取部２０１及び第２の画像読取部２２１ともに、ＬＥＤを用いた光源と、光電変換素子を主走査方向（原稿搬送方向と直交する方向）にライン配置して形成したセンサアレイや原稿の光学像を前記センサアレイ上に結像するレンズアレイを備えたコンタクトイメージセンサを用いている。
【００３５】
そして、第１の画像読取部２０１は装置本体１０１内に配置されており、第２の画像読取部２２１はＡＤＦ３００内に配置され、前記第１の画像読取部２０１及び第２の画像読取部２２１は、原稿搬送路Ｐを挟んで互いに向き合うように配置されている。
【００３６】
前記第１の画像読取部２０１と原稿搬送路Ｐの間には第１の透明部材２０２が設けられ、同じく前記第２の読取部２２１と原稿搬送路Ｐの間には第２の透明部材２２２が設けられている。そして、図３に示すように、前記第１の画像読取部２０１と前記第２の画像読取部２２１の配置に合わせて、第１の透明部材２０２と第２の透明部材２２２は原稿搬送方向において、原稿搬送路を挟んで全部又は一部が対向するように配置されている。
【００３７】
また、図３に示すように、第１の透明部材２０２の原稿搬送方向下流には、第１の透明部材２０２に隣接して下流側搬送下ガイド（第１のガイド部材）５００が設けられている。この下流側搬送下ガイド５００は、原稿を搬送方向斜め上方へガイドする傾斜したガイド面を有している。
【００３８】
前記第２の画像読取部２２１は、原稿の搬送にともなって搬送路内部で発生する紙粉が、前記第２の画像読取部２２１の読取部と前記第２の透明部材２２２の裏面に侵入しないように、図２に示すように、密閉ガイドＧと前記第２の透明部材２２２によって密閉されたカバーモジュールを構成している。密閉ガイドＧと第２の透明部材２２２は互い重なり合わさる隙間を埋めるために例えば接着材などで固定されている。
【００３９】
さらに、前記第２の画像読取部２２１からの信号線ケーブルは、前記密閉ガイドＧの一部に図示しない開口部を設けてあり、前記信号ケーブルは開口部を経由して装置本体１０１内に設けられた画像処理部と接続される。このとき、前記開口部の周囲はスポンジ状の弾性部材で信号ケーブルを囲うように覆っており紙粉の侵入を防止している。また、密閉ガイドＧの近傍に前記カバーモジュールを支持する図示しない枠体フレームが設けられており、その一部が上流側搬送上ガイド４００を形成しており、第１の透明部材２０２へ搬送されてきた原稿の先端を第１の読取位置Ｒ１へ案内している。
【００４０】
また、密閉ガイドＧを挟んだ原稿搬送方向下流側には、同様に図示しない枠体フレームの一部から形成される下流側搬送上ガイド（第２のガイド部材）４０１が設けられている。
【００４１】
前記密閉ガイドＧの内部には第２の画像読取部２２１を第２の透明部材２２２に押し付けるための押圧バネ２２３が設けられている。第２の画像読取部２２１は、図示しないスペーサーによって第２の透明部材２２２の裏側と当接している。また、前記カバーモジュールはＡＤＦ３００の図示しない枠体フレームの内部と接続された押圧バネ２２４によって前記第１の透明部材２０２の方向へ押圧されている。
【００４２】
このとき密閉ガイドＧの一部に突起を設けて第１の透明部材２０２に突き当て、第１の透明部材２０２と第２の透明部材２２２で形成される搬送路Ｐの隙間を保障している。また、第１の画像読取部２０１で原稿の表面を読み取るときに、薄紙の裏写りを防止するために第２の透明部材２２２の裏側には第１の画像読取部２０１の第１の読取位置Ｒ１の対向側に白シート部材２２５が設けられている。
【００４３】
前述したように原稿を読み取る際、画像読取装置に備えられた第１の画像読取部２０１は第１の読取位置Ｒ１まで移動する。また、ＡＤＦ３００に備えられた第２の画像読取部２２１は第２の読取位置Ｒ２にて画像が読み取られる。第１の読取位置Ｒ１と第２の読取位置Ｒ２との距離Ｌは、それぞれの画像読取部に設けられた照明からの影響を互いに受けない適切な距離をもって決定されている。なお、本実施形態ではＬ＝１３.５ｍｍに設定している。
【００４４】
原稿Ｄは、搬送ローラ対３０７，３０８で搬送されて上流側下ガイド４０３（図２参照）や上流側搬送上ガイド４００でガイドされながら第１の透明部材２０２上へと搬送され、さらに第２の透明部材２２２と下流側搬送上ガイド４０１及び下流側搬送下ガイド５００で形成される隙間を通過しながら第１の画像読取部２０１と第２の画像読取部２２１によって画像を読み取られる。
【００４５】
なお、実施形態では、第１の透明部材２０２と第２の透明部材２２２との隙間は０.６ｍｍに設定している。
【００４６】
第１の画像読取部２０１は、キャリッジＣに備えられた押圧バネ２０３によって第１の透明部材２０２の方向へ押圧され、第１の画像読取部２０１の両端に取り付けられた図示しないスペーサー部材が第１の透明部材２０２と当接することで、搬送路を通過する原稿の第１面との適切な焦点距離を保障している。
【００４７】
同様に、第２の画像読取部２２１は前記密閉ガイドＧに備えられた押圧バネ２２３によって、前記第２の透明部材２２２の方向へ押圧され、第２の画像読取部２２１の両端に取り付けられた図示しないスペーサー部材が第２の透明部材２２２と当接しており、搬送路を通過する原稿の第２面との適切な焦点距離を保障している。
【００４８】
さらに、第１の透明部材２０２はその表面に導電性コート処理（ＩＴＯ処理）を施してあり、表面抵抗率は２００〜５００Ω/ｃｍとなっている。そして、図３に示すように、第１の透明部材２０２の原稿搬送方向上流側の縁部に、第１の透明部材２０２の表面から裏面にかけて導電部材であるアルミシート２０４が導電性両面テープで一体となって貼られている。アルミシート２０４は第１の透明部材２０２の表面と電気的に導通され、画像読取装置の例えば板金などの導電性を有する装置筐体２０５と結合されている。筐体２０５は画像形成装置と電気的に結合されて装置全体の導通がとられている。
【００４９】
同様に、第２の透明部材２２２も、その表面に導電性コート処理（ＩＴＯ処理）を施してあり、表面抵抗率は２００〜５００Ω/ｃｍとなっている。そして、第２の透明部材２２２の縁部近傍には第１の透明部材２０２と同様にアルミシート２２６が導電性両面テープを介して一体となって貼り付けられている。また、図示しない導通部材によって第１の透明部材２０２と同様に画像形成装置と電気的に結合されて導通がとられている。
【００５０】
＜異物の掻き取り構成＞
本実施形態の画像読取装置では、原稿読み取り動作の際に第１の透明部材２０２及び第２の透明部材２２２に付着した紙粉等のゴミを除去できるようになっている。次にそのための構成について、図４乃至図６を用いて説明する。
【００５１】
（第１の透明部材の掻き取り構成）
まず、第１の透明部材２０２に付着したゴミｇ１の掻き取る構成について説明する。前述した給送動作において、上流側搬送ローラ対３０７によって原稿Ｄが搬送されると、第２の透明部材２２２と結合された上流側搬送上ガイド４００によってガイドされ、第１の透明部材２０２と第２の透明部材２２２の間に形成される原稿搬送路Ｐの間を原稿の先端Ｄｔが略水平方向に進入する。この原稿先端Ｄｔが第１の透明部材２０２に到達したとき、原稿Ｄは第１の透明部材２０２とのなす角度が鋭角に進入して原稿先端Ｄｔが第１の透明部材２０２接触し、その状態で原稿が第１の透明部材２０２の表面を摺擦して搬送される。このため、図４（ａ）に示すように、第１の透明部材２０２の表面にゴミｇ１が付着していても、そのゴミｇ１は図４（ｂ）、（ｃ）に示すように、原稿先端Ｄｔにより掻き取られる。
【００５２】
ここで、上流側搬送ローラ対３０７により上流側搬送上ガイド４００に沿って第１の透明部材２０２まで案内される原稿の先端Ｄｔが第１の透明部材２０２における原稿先端の接触位置は、図５（ａ）に示すように、第１の読取位置Ｒ１よりも距離がΔａ（本実施形態では５ｍｍ程度）搬送方向上流で接触するように原稿搬送路及び上流側搬送上ガイド４００等が設定されている。このため、第１の読取位置Ｒ１にゴミｇ１が付着していたとしても、搬送される原稿Ｄによって掻き取ることができる。
【００５３】
（第２の透明部材の掻き取り構成）
次に第２の透明部材２２２の読取位置Ｒ２に付着したゴミｇ２を掻き取る構成について説明する。
【００５４】
前述したように、第１の透明部材２０２の下流側には下流側搬送下ガイド５００が設けられている。この下流側搬送下ガイド５００は、図６に示すように、第１の透明部材２０２と隣接する接続部に第１の透明部材２０２の原稿ガイド面（搬送面）よりも下方（第２の透明部材２２２から離れる方向）に凹んだ凹部５０１が形成されている。そして、下流側搬送下ガイド５００には前記凹部５０１の下流から前記搬送ローラ対３０８のニップへ向かって斜め上方へ原稿をガイドするように傾斜した傾斜ガイド面５０２が形成されている。前記傾斜ガイド面５０２は、原稿を第２の透明部材２２２の原稿ガイド面の延長線よりも上方へガイドする傾斜面として構成されている。
【００５５】
また、前記第２の透明部材２２２の下流に連続して配置された下流側搬送上ガイド４０１には、第２の透明部材２２２の搬送面に沿って搬送される原稿を第１の透明部材２０２側（下方）へガイドするために、前記第１の透明部材２０２の原稿搬送面の延長仮想線Ｅよりもδ１下方へ突出した突出部４０１ａが形成されている。この突出部４０１ａは下流側搬送下ガイド５００の凹部５０１と対向する位置に設けられている。
【００５６】
上記のように下流側搬送上ガイド４０１に突出部４０１ａを設けているために、第２の読取位置Ｒ２を通過した原稿先端は突出部４０１ａにガイドされて第１の画像読取部２０１よりも下方へと搬送される。このとき、原稿の後端は第１の画像読取部２０１に当接した部分、すなわち第１の透明部材２０２の下流側端部２０２ａを支点として上方へ持ち上げられる（図６（ａ）参照）。さらに、原稿は傾斜ガイド面５０２に沿って第２の透明部材２２２の原稿ガイド面よりも上方へ搬送されるため、図６突出部４０１ａを中心にしてＵ字形状に屈曲し、原稿後端Ｄｅが第２の透明部材２２２に当接しながら搬送される（図６（ｂ）（ｃ）参照）。このとき、原稿後端Ｄｅは、第２の透明部材２２２によってＵ字形状に曲げられることを阻害されるために反力Ｆが発生した状態で搬送される。
【００５７】
そして、上記のように原稿Ｄが搬送される際に、図５（ｂ）に示すように、原稿後端Ｄｅが第２の読取位置Ｒ２よりも距離がΔｂ（本実施形態では３．５ｍｍ程度）搬送方向上流側で第２の透明部材２２２に接触するように、第１の透明部材２０２の下流側端部２０２ａや突出部４０１ａの突出量、傾斜ガイド面５０２の傾斜角度が構成されている。
【００５８】
上記のように、原稿後端Ｄｅは前記下流側端部２０２ａを通過するまで第２の透明部材２２２に沿って反力Ｆを受けながら搬送されるため、第２の透明部材２２２の第２の読取位置Ｒ２にゴミｇ２が付着していた場合には、これを掻き取りながら搬送される。
【００５９】
ゴミｇ２を掻き取った原稿は、そのまま第２の透明部材２２２の表面を沿いながら搬送されるので第２の透明部材２２２に付着したゴミｇ２は読取位置Ｒ２から取り除かれる（図６（ｃ）参照）。
【００６０】
なお、原稿後端Ｄｅが第２の透明部材２２２に当接する力（前記反力Ｆ）は、前記第１の透明部材２０２の下流端部位置や前記突出部４０１ａの突出量等によるが、原稿後端Ｄｅが第２の透明部材２２２へ接触する力が単位長さ当たり約０.２ｇ程度あれば紙粉などのゴミを取り除くには十分であり、かつ積極的に第２の透明部材２２２へ力を加えないため、前記導電性コート処理の摩耗を防止することができる。
【００６１】
また、本実施形態で使用している第１の画像読取部２０１、第２の読取部２２１は前述したようにコンタクトイメージセンサを用いている。一般的にコンタクトイメージセンサは焦点深度が浅く、０.３ｍｍ〜０.４ｍｍ程度である。従って、原稿の搬送中に読取位置Ｒ１，Ｒ２で原稿が焦点方向から離れてしまうと読み取られる画像がピンボケしたものとなる。
【００６２】
しかし、本実施形態においては、原稿は前記上流側搬送上ガイド４００の突出部４００ａ、下流側搬送上ガイド４０１の突出部４０１ａに接触しながら搬送されるため、第１の画像読取部２０１の焦点位置から大きくずれることはない。これと同様の作用によって第２の読取部２２１の焦点位置からも大きくずれることはなく良好な画像を得られる。
【００６３】
〔第２実施形態〕
図７は第２実施形態に係る画像読取装置の読取部の構成図である。前述した第１実施形態では、第１の透明部材２０２を通過した原稿Ｄが突出部４０１ａにガイドされて第１の透明部材２０２の原稿搬送面の延長仮想線Ｅよりも下方へと屈曲され、これによって原稿後端は下流側端部２０２ａを支点として上方へ湾曲した。
【００６４】
これに対し、本実施形態では原稿Ｄは第１の透明部材２０２の下流に隣接して下流原稿ガイド部６０１が設けられている。この下流原稿ガイド部６０１は、第２の透明部材２２２の下流側端部２２２ａが第１の透明部材の下流側端部２０２ａよりも下流に位置するような構成において、第１の透明部材２０２を通過した原稿が第２の透明部材２２２から離れて第２の画像読取部２２１における焦点距離がずれることによる読み取り不良を防止するものである。
【００６５】
上記のように下流原稿ガイド部６０１を設けた構成にあっては、下流側搬送上ガイド４０１に形成した突出部４０１ａは、前記下流原稿ガイド部６０１の原稿ガイド面の延長仮想線Ｆよりもδ２下方へ突出するように構成する。これにより、第２の読取位置Ｒ２を通過した原稿先端は突出部４０１ａにガイドされて下流原稿ガイド部６０１の原稿ガイド面よりも下方へと湾曲搬送される。このとき、原稿の後端は下流原稿ガイド部６０１の下流側端部６０１ａを支点として上方へ持ち上げられ、原稿後端が第２の透明部材２２２に当接しながら搬送され、第２の透明部材２２２に付着したゴミを掻き取りながら搬送される。
【００６６】
なお、第１の透明部材２０２に隣接した下流原稿ガイド部６０１は、図８に示すように、第１の透明部材２０２を通過した原稿を斜め上方へ、すなわち第２の透明部材２２２の側へガイドするような形状であってもよい。この場合も、下流側搬送上ガイド４０１に形成した突出部４０１ａが下流原稿ガイド部６０１の下流側端部６０１ａよりも下方へ突出するように構成することにより、原稿後端が第２の透明部材２２２に当接するようになる。
【００６７】
また、下流原稿ガイド部６０１と下流側搬送下ガイド５００とは一体で構成しても、別体で構成してもよい。
【００６８】
〔他の実施形態〕
【００６９】
前述した実施形態にあっては、下流側搬送上ガイド４０１に突出部４０１ａを形成し、搬送される原稿後端が第２の透明部材２２２に接触するようにした。このとき、前記突出部４０１ａは曲面形状に形成されていると原稿がスムーズにガイドされるので好ましい。また、曲面形状以外にも、図９に示すように、前記突出部として、回動自在な小ローラである回転体４０２を設けて構成してもよい。
【００７０】
上記のように回転体４０２によって突出部を構成しても、前述した実施形態と同様に、原稿Ｄは回転体４０２によって凹部５０１に向かって略Ｕ字形状に曲げられながら搬送され、原稿後端が第２の透明部材２２２に当接しながら搬送されるために第２の透明部材２２２に付着したゴミを掻き取ることができる。さらに、Ｕ字形状に曲げられて搬送される原稿が接触する部分に回転体４０２が設けられているために、原稿の搬送負荷が低減される。
【００７１】
また、前述した実施形態における突出部４０１ａ又は回転体４０２は主走査方向に少なくとも１つ備わっていればよく、画像読取装置が対応する原稿Ｄの幅に応じて適宜複数個の突出部４０１ａ又は回転体４０２を設けても構わない。
【００７２】
また、突出部４０１ａ又は回転体４０２は前記主走査方向の全域で突出するように構成されたものでもよい。
【００７３】
また、回転体４０２は原稿の搬送に従動回転するもの以外にも、駆動源からの駆動力によって駆動回転するものでもよい。
【符号の説明】
【００７４】
Ｄ    …原稿
Ｄｅ  …後端
Ｄｔ  …原稿先端
Ｅ    …仮想線
Ｐ    …搬送経路
Ｒ１  …第１の読取位置
Ｒ２  …第２の読取位置
ｇ１  …ゴミ
ｇ２  …ゴミ
１００ …画像形成装置
１３３ …画像形成部
２００ …画像読取装置
２０１ …第１の画像読取部
２０２ …第１の透明部材
２０２ａ …下流側端部
２２１ …第２の画像読取部
２２２ …第２の透明部材
２４０ …原稿台ガラス
３００ …ＡＤＦ
３０７ …上流側搬送ローラ対
３０８ …下流側搬送ローラ対
３０９ …排出ローラ対
４００ …上流側搬送上ガイド
４０１ …下流側搬送上ガイド
４０１ａ …突出部
４０２ …回転体
４０３ …上流側下ガイド
５００ …下流側搬送下ガイド
５０１ …凹部
５０２ …傾斜ガイド面
【図１】
2020195112.tif 000003
【図２】
2020195112.tif 000004
【図３】
2020195112.tif 000005
【図４】
2020195112.tif 000006
【図５】
2020195112.tif 000007
【図６】
2020195112.tif 000008
【図７】
2020195112.tif 000009
【図８】
2020195112.tif 000010
【図９】
2020195112.tif 000011
【図１０】
2020195112.tif 000012